(57)【要約】【目的】ペーパータオルを収納する箱であって、限られた少ないスペースに設置し且つペーパータオルの引出しを円滑にできるペーパータオル収納箱を提供すること。【構成】複数重層されて束としたペーパータオル９を収納するペーパータオル収納箱において、正面部１と背面部２と頂面部３と底面部４と対向する二つの側面部５とを備えること。正面部１，背面部２，両側面部５は垂直状の直方体を構成すること。底面部４を設置面とする収納箱Ａとし、正面部１には上下方向に延びる正面開口部１１が形成され、正面開口部１１の上方には幅方向の間隔が狭くなる窄まり部１２が形成され、正面開口部１１はペーパータオル９の束が正面部１からはみ出さない程度の幅方向間隔とすること。【選択図】      図１
2019025069.tif 000002
【特許請求の範囲】
【請求項１】
複数重層されて束としたペーパータオルを収納するペーパータオル収納箱において、正面部と背面部と頂面部と底面部と対向する二つの側面部とを備え、前記正面部，前記背面部，両前記側面部は垂直状の直方体を構成し、前記底面部を設置面とする収納箱とし、前記正面部には上下方向に延びる正面開口部が形成され、該正面開口部の上方には幅方向の間隔が狭くなる窄まり部が形成され、前記正面開口部は前記ペーパータオルの束が前記正面部からはみ出さない程度の幅方向間隔としてなることを特徴とするペーパータオル収納箱。
【請求項２】
請求項１に記載のペーパータオル収納箱において、前記正面開口部の幅方向の両端縁は、前記ペーパータオル束の幅方向両端付近を押え可能となる間隔としたことを特徴とするペーパータオル収納箱。
【請求項３】
請求項１又は２記載のペーパータオル収納箱において、前記正面開口部は下端から前記窄まり部向かって次第に間隔が狭まる構成としてなることを特徴とするペーパータオル収納箱。
【請求項４】
請求項１，２又は３の何れか１項に記載のペーパータオル収納箱において、前記正面開口部の間隔寸法は、前記ペーパータオル束の幅方向寸法に対して４０％乃至８０％の間に設定されてなることを特徴とするペーパータオル収納箱。
【請求項５】
請求項１，２，３又は４の何れか１項に記載のペーパータオル収納箱において、前記窄まり部の間隔寸法は、前記ペーパータオル束の幅方向寸法に対して５％乃至４０％の間に設定されてなることを特徴とするペーパータオル収納箱。
【請求項６】
請求項１，２，３，４又は５の何れか１項に記載のペーパータオル収納箱において、前記正面開口部の幅方向において対向する端縁は幅方向外方に凸となる円弧状に形成されてなることを特徴とするペーパータオル収納箱。
【請求項７】
請求項１，２，３，４，５又は６の何れか１項に記載のペーパータオル収納箱において、前記頂面部には前記正面開口部と連続する頂面開口部が形成されてなることを特徴とするペーパータオル収納箱。
【請求項８】
請求項７に記載のペーパータオル収納箱において、前記頂面開口部は半円形状に形成されてなることを特徴とするペーパータオル収納箱。
【請求項９】
請求項１，２，３，４，５，６，７又は８の何れか１項に記載のペーパータオル収納箱において、前記正面部及び前記背面部の少なくとも何れか一方の下部に、切込み線を介して折曲可能とし、且つ前後方向に向かって突出して形成される倒れ防止部が設けられてなることを特徴とするペーパータオル収納箱。
【発明の詳細な説明】
【技術分野】
【０００１】
本発明は、レストラン又は食堂等の調理場において使用されるペーパータオルを収納する箱であって、限られた少ないスペースに設置し且つペーパータオルの引出しを円滑にできるペーパータオル収納箱に関する。
【背景技術】
【０００２】
従来、二つ折りにしたペーパータオルを相互にかみ合わせつつ、これを多数重合した重層タイプの束としたペーパータオルが収納され、その収納箱の上部開口からペーパータオルを一枚ずつ取り出すことができるものが多く存在している。この種の具体的な構成のものとして特許文献１が存在する。
【０００３】
この種のものでは、前述したペーパータオルの束の形状は、略直方体であり、また、ペーパータオルの束を収納するための箱も略直方体である。この直方体の箱は、頂部，底部が長方形で、頂部及び底部の長辺を介して隣接する対向する両側部も長方形である。そして直方体の箱の長手方向が水平方向に沿うようにして設置される。つまり頂部及び底部は水平面上に沿う面となる。
【０００４】
その頂部には、通常、細長状の開口が形成されており、内部に収納された重層タイプの束から一枚ずつペーパータオルを取り出すことができるものである。このように、一般のこの種のタイプのペーパータオルを収納する箱は、直方体の長手方向を水平方向とし、取り出し用の開口が形成された頂部が上方となるようにして、箱がキッチンの作業テーブル上に設置されるものである。
【０００５】
ところで、ペーパータオルは、一般家庭の台所だけではなく、レストラン、食堂等の厨房でも多く使用されている。レストラン，食堂等の厨房では、特に大量のペーパータオルが使用される。また、ペーパータオルが一日に使用される頻度も高く、短時間の内に何枚ものペーパータオルが使用される。
【０００６】
ところが、レストランの厨房は、多くの食器が備えられ、これらを収納しておく棚も多い。そのために、物を置くためのスペースが少なくなるものであり、ペーパータオルの箱を設置する作業空間も限定され、極めて少ないスペースで使用することになる。このようなことから、従来（特許文献１）タイプのペーパータオル収納箱では、設置面積が大きくなり、設置場所を多く占めることとなり使い勝手が非常に悪いものである。
【０００７】
さらに、箱の頂部の開口からペーパータオルを取り出すことになり、このときの取り出し方向は垂直方向となる。そのためペーパータオルを取り出すときの手が周囲の棚や、食器に当たってしまい、思わぬ事態が起きるおそれがある。このようなことから、レストラン，食堂で調理，配膳などで働く人たちは、ペーパータオルの箱は、設置面積を小さくすることと、直方体の長手方向を上下にして、箱からペーパータオルを水平方向に取り出せるようにすることが好ましいとされている。
【先行技術文献】
【特許文献】
【０００８】
【特許文献１】特開２００９−９１０１５号公報
【発明の概要】
【発明が解決しようとする課題】
【０００９】
特許文献１等に開示されている従来のものでは、ペーパータオルを出す開口が水平状の頂部に設けられた水平となるように設置されるものがほとんどである。つまり、直方体状のペーパータオル箱は、その長手方向を水平として設置される。そのため、ペーパータオルを箱の開口を、細長状に形成されたものであっても、その箱及び収納されたペーパータオル束の総重量がかかり、ペーパータオルを一枚ずつ取り出すことは容易にできる。
【００１０】
しかし、開口が形成された頂部を垂直面上に位置するようにして、箱の長手方向を上下方向とするように設置したときは、開口からペーパータオルを取り出すときに、箱と設置箇所との接地面積が極めて小さいために、箱の状態が不安定となり、ペーパータオルを取り出すときに、箱が倒れて取り出しが不可能となり、ペーパータオルを取り出すたびに、箱を他方の手で押えていなければならず、その結果として、一枚のペーパータオルを取り出すために、両手を使用することになる。
【００１１】
厨房で調理をする人は、片手に食器を持ちながら調理作業を行うことが多く、従来のペーパータオル専用の箱では、ペーパータオルを取り出すために調理にかかる作業効率を落とすことになる。そこで、本発明が解決しようとする課題（技術的課題又は目的等）は、レストラン，食堂等の厨房で調理作業をするにあたり、ペーパータオルの直方体に形成された収納箱を、直方体の長手方向を上下にして、垂直面上に形成された開口部からペーパータオルを水平方向に取り出すことができると共に、その取り出し時における収納箱が位置ずれ及び収納箱の倒れを防止できるペーパータオル収納箱を提供することにある。
【課題を解決するための手段】
【００１２】
そこで、発明者は上記課題を解決すべく鋭意，研究を重ねた結果、請求項１の発明を、複数重層されて束としたペーパータオルを収納するペーパータオル収納箱において、正面部と背面部と頂面部と底面部と対向する二つの側面部とを備え、前記正面部，前記背面部，両前記側面部は垂直状の直方体を構成し、前記底面部を設置面とする収納箱とし、前記正面部には上下方向に延びる正面開口部が形成され、該正面開口部の上方には幅方向の間隔が狭くなる窄まり部が形成され、前記正面開口部は前記ペーパータオルの束が前記正面部からはみ出さない程度の幅方向間隔としてなるペーパータオル収納箱としたことにより、上記課題を解決した。
【００１３】
請求項２の発明を、請求項１に記載のペーパータオル収納箱において、前記正面開口部の幅方向の両端縁は、前記ペーパータオル束の幅方向両端付近を押え可能となる間隔としたペーパータオル収納箱としたことにより、上記課題を解決した。請求項３の発明を、請求項１又は２記載のペーパータオル収納箱において、前記正面開口部は下端から前記窄まり部向かって次第に間隔が狭まる構成としてなるペーパータオル収納箱としたことにより、上記課題を解決した。
【００１４】
請求項４の発明を、請求項１，２又は３の何れか１項に記載のペーパータオル収納箱において、前記正面開口部の間隔寸法は、前記ペーパータオル束の幅方向寸法に対して４０％乃至８０％の間に設定されてなるペーパータオル収納箱としたことにより、上記課題を解決した。
【００１５】
請求項５の発明を、請求項１，２，３又は４の何れか１項に記載のペーパータオル収納箱において、前記窄まり部の間隔寸法は、前記ペーパータオル束の幅方向寸法に対して５％乃至４０％の間に設定されてなるペーパータオル収納箱としたことにより、上記課題を解決した。請求項６の発明を、請求項１，２，３，４又は５の何れか１項に記載のペーパータオル収納箱において、前記正面開口部の幅方向において対向する端縁は幅方向外方に凸となる円弧状に形成されてなるペーパータオル収納箱としたことにより、上記課題を解決した。
【００１６】
請求項７の発明を、請求項１，２，３，４，５又は６の何れか１項に記載のペーパータオル収納箱において、前記頂面部には前記正面開口部と連続する頂面開口部が形成されてなるペーパータオル収納箱としたことにより、上記課題を解決した。請求項８の発明を、請求項７に記載のペーパータオル収納箱において、前記頂面開口部は半円形状に形成されてなるペーパータオル収納箱としたことにより、上記課題を解決した。
【００１７】
請求項９の発明を、請求項１，２，３，４，５，６，７又は８の何れか１項に記載のペーパータオル収納箱において、前記正面部及び前記背面部の少なくとも何れか一方の下部に、切込み線を介して折曲可能とし、且つ前後方向に向かって突出して形成される倒れ防止部が設けられてなるペーパータオル収納箱としたことにより、上記課題を解決した。
【発明の効果】
【００１８】
請求項１の発明では、正面部と背面部と頂面部と底面部と対向する二つの側面部とを備え、前記正面部には上下方向に延び且つ前記ペーパータオル束が収納箱のはみ出ない程度の幅方向間隔を有する正面開口部が形成され、該正面開口部の上方には幅方向の間隔が狭くなる窄まり部が形成されてなるペーパータオル収納箱としたことにより、レストラン又は食堂の厨房で、極めて小さなスペースにて設置することができ、且つペーパータオルの取り出しが極めて行い易く、その結果として、調理作業を効率的にできるようにしたものである。
【００１９】
収納箱は、その正面部，背面部及び両側面部を長方形とし、その長手方向を上下方向にし、底面部を下方にして、調理作業台又はテーブル上に設置できるようにしたものである。収納箱は、正面部，背面部及び両側面部を長方形とし、直方体の長手方向を構成し、底面部を設置面したものである。これによって、正面部，背面部及び両側面部よりも小さい面積となる底面部は、少ないスペースに設置することができる。
【００２０】
さらに、正面開口部は、上下方向に延び且つ前記ペーパータオル束が収納箱のはみ出ない程度の幅方向間隔を有するものである。したがって、キッチンの作業者は、ペーパータオルが必要なときには、収納箱の正面から略水平方向にペーパータオルを取り出すことができる。また、ペーパータオルを取り出すときに、正面開口部は、ペーパータオル束が収納箱のはみ出ない程度の幅方向間隔を有しており、取り出し時においてペーパータオルは正面開口部の周縁から受ける抵抗は小さく、取り出す際に収納箱が倒れるおそれがほとんど無い。
【００２１】
さらに、正面開口部の上方に窄み部が存在するため、収納箱内部に収納されたペーパータオル束がペーパータオルを取り出す際に引きずられても、前記窄まり部がペーパータオル束を収納箱の内方側に押え、ペーパータオル束は収納箱の外部にはみ出すことが無く、作業をより一層、良好にすることができる。
【００２２】
請求項２の発明では、前記正面開口部の幅方向の両端縁は、前記ペーパータオル束の幅方向両端付近を押え可能な間隔としてなるペーパータオル収納箱としたことにより、収納されたペーパータオル束が、極めて安定した状態で収納され、ペーパータオルの取り出しも安定した状態にできる。請求項３の発明では、正面開口部は下端から前記窄まり部に向かって次第に間隔が狭まる構成としてなるペーパータオル収納箱としたことにより、収納されているペーパータオル束がより一層安定した状態で収納される。
【００２３】
請求項４の発明では、前記正面開口部の間隔寸法は、前記ペーパータオル束の幅方向寸法に対して５０％乃至７０％の間に設定されたことにより、正面開口部の設定が行い易い。請求項５の発明では、窄まり部の間隔寸法は、前記ペーパータオル束の幅方向寸法に対して１０％乃至３０％の間に設定されたことにより、窄み部の設定を行い易くできる。請求項８の発明では、ペーパータオルの取り出し状態を安定したものにできる。
【００２４】
請求項６の発明では、前記正面開口部の幅方向において対向する両端縁は幅方向外方に凸となる円弧状に形成されることにより、ペーパータオルの引出しを円滑にできる。請求項７の発明では、前記頂面部には前記正面開口部と連続する頂面開口部が形成されてなる構成としたことによって、ペーパータオルを正面開口部から取り出すときに、ペーパータオルを僅かに上方に向けて取り出すことができ、ペーパータオルを使用する際の引出し作業を極めて効率的にすることができる。請求項８の発明では、前記頂面開口部は半円形状に形成されたことによって、収納箱からペーパータオルを斜め方向に取り出すときにより一層、円滑に取り出すことができ、且つ極めて簡易且つ迅速に取り出すことができる。
【００２５】
請求項９の発明では、前記正面部及び前記背面部の少なくとも何れか一方の下部に、切込み線を介して折曲可能とし、且つ前後方向に向かって突出して形成される倒れ防止部が設けられたことにより、収納箱を長手方向を直立状態にして使用する際に安定したものにできる。なお前記正面開口部の前記窄まり部よりの上方部分は幅方向に間隔が拡がる構成としたことで、ペーパータオルを取り出し易く且つ収納状態も安定させることができる。
【図面の簡単な説明】
【００２６】
【図１】（Ａ）は本発明における収納箱の斜視図、（Ｂ）は捨て蓋が備わった収納箱の収納箱、（Ｃ）は収納箱を製造するためのシートの展開図である。
【図２】（Ａ）は収納箱の正面図、（Ｂ）は（Ａ）のＹ1−Ｙ1矢視断面図、（Ｃ）は収納箱の平面図、（Ｄ）は（Ａ）のＸ1−Ｘ1矢視断面図である。
【図３】（Ａ）はペーパータオル束が収納された収納箱の正面図、（Ｂ）は（Ａ）のＹ2−Ｙ2矢視断面図、（Ｃ）は（Ａ）のＸ2−Ｘ2矢視断面図、（Ｄ）はペーパータオル束の正面図である。
【図４】（Ａ）乃至（Ｃ）は収納箱からペーパータオルを取り出す行程を示す斜視図である。
【図５】（Ａ），（Ｂ）は図４から続く収納箱からペーパータオルを取り出す行程を示す斜視図である。
【図６】（Ａ）はペーパータオルの残量が少量となったペーパータオル束を窄まり部によって支持する状態で且つ収納箱を想像線にて示した斜視図、（Ｂ）はペーパータオルの残量が少量となったペーパータオル束を窄まり部によって支持する状態でを示す縦断側面図、（Ｃ）はペーパータオルの残量が少量となったペーパータオル束を窄まり部によって支持する状態でを示す横断平面図である。
【図７】（Ａ）は収納箱の正面開口部の形状の実施形態を示す正面図、（Ｂ）は収納箱の正面開口部の形状の別の実施形態を示す正面図、（Ｃ）は収納箱の正面開口部の形状のさらに別の実施形態を示す正面図である。
【図８】（Ａ），（Ｂ）は狭いスペースで本発明における収納箱を設置しペーパータオルを取り出す様子を示す縦断側面図である。
【図９】（Ａ）収納箱において正面開口部に窄まり部を２個設けた実施形態の正面図、（Ｂ）は収納箱において背面部に紙押し上げ部を具備した実施形態の斜視図、（Ｃ）は収納箱において頂面部に頂面開口部を設けない実施形態の斜視図である。
【発明を実施するための形態】
【００２７】
以下、本発明を図面に基づいて説明する。本発明における収納箱に収納されるペーパータオル９については、タオルペーパーと称してもよい。また、ペーパータオルの概念には、キッチン用ペーパー，衛生用ペーパー等も含まれる。ペーパータオル９及びその概念に含まれるものが複数重層されたものをペーパータオル束Ｐと称する。また、ペーパータオル９には、エンボスが施されたものが存在することもある。
【００２８】
図１乃至図２に示した図は、ペーパータオルの束用の収納箱Ａである。該収納箱Ａは、直方体状をなしている。収納箱Ａの内部には、ポップアップ式に一枚ずつ取り出せるように交互に積層された比較的厚手のペーパータオルの束が収納されている。ペーパータオル束Ｐにおいて、ペーパータオルは二つ折りにされる。
【００２９】
二つ折りにされたペーパータオル９の２つ片のそれぞれを折片と称する。二つ折りのペーパータオルの折片間に、上下又は前後に隣接する他のペーパータオルの折り片が食い込むように挿入される。このような構成にて重層されペーパータオルの束が形成される。そして一枚のペーパータオル９を収納箱Ａから取り出すと、そのペーパータオル９の折片が次に取り出されるペーパータオル９の折片を引きずり出すようになっている。
【００３０】
さらに、ペーパータオル９を３つ折りとし、この３つ折りの折り片間に、他の同様の３つ折りとしたペーパータオル９の折り片が食い込むタイプとしたペーパータオル束Ｐが収納されることもある。ここで、通常ペーパータオル束Ｐから取り出されるペーパータオル９は１枚であるが、該ペーパータオル９が２枚重ね或いは３枚重ねとして取り出されるようにすることもある。
【００３１】
ペーパータオル束Ｐは、通常は、フィルム袋等の樹脂製袋に収納されて販売されている。そして、ペーパータオル束Ｐは、フィルム袋ごと収納箱Ａに収納されたり或いは、フィルム袋から取り出してペーパータオル束Ｐのみが収納箱Ａに収納される。何れかにするかは、使用者によって任意に選択されればよい。ペーパータオル束Ｐを収納するフィルム袋には、ミシン目が頂部の長手方向に沿って形成され、さらにミシン目は、頂部の長手方向両端の側部にまで形成されていることが多い。
【００３２】
また、ペーパータオル束Ｐには、ペーパータオル９のサイズに応じて、その束のサイズが複数存在する。具体的には、大・中・小の３種類のサイズが存在し、大のサイズは、幅方向寸法が約１２５ミリ程度で、高さ寸法が約２５０ミリ程度である。中のサイズは、幅方向寸法が約１２０ミリ程度で、高さ寸法が約２２０ミリ程度である。小のサイズは、幅方向寸法が約９０ミリ程度で、高さ寸法が約２２０ミリ程度である。
【００３３】
ペーパータオル束Ｐの厚さは、ペーパータオル９の枚数で決定される。本発明における収納箱Ａでは、上記の大・中・小の３のサイズのものが使用可能となっている。以下、本発明の説明では、収納箱Ａに収納さるペーパータオル束Ｐは、大のサイズを使用するものとして説明する。
【００３４】
収納箱Ａは、正面部１と背面部２と頂面部３と底面部４と対向する二つの側面部５，５とを備え、これらによっての直方体の箱を構成する〔図１(Ａ)，図２参照〕。収納箱Ａは、紙製であり、厚紙で形成される。また、収納箱Ａは合成樹脂製としてもよい。いずれも、一枚の紙製シート、又は合成樹脂シート等の原材から収納箱Ａを製造することができる。図１（Ｃ）は、原材の展開図の一例が示されており、前記シートは展開図と同一形状にすればよい。
【００３５】
収納箱Ａは、直方体をなし、正面部１と背面部２及び二つの側面部５，５は長方形状である。そして、正面部１と背面部２及び二つの側面部５，５とによって、長手方向を上下方向とした垂直状の直方体を構成する。頂面部３と底面部４とは上下方向で対向し、長方形又は正方形であり、前記正面部１，背面部２及び両側面部５，５よりも小さい形状となっている〔図１(Ａ)，（Ｂ），図２等参照〕。収納箱Ａは、その長手方向を上下方向（垂直方向と称しても良い）にして使用する〔図１（Ａ），図４，図５，図８等参照〕。このとき底面部４は設置面となり、頂面部３は、最上位置となる〔図１(Ａ)参照〕。
【００３６】
なお、本発明を説明するにあたり、方向を示す文言が存在し、主に上下方向，前後方向及び幅方向等である。前後方向は、収納箱Ａにおいて正面部１から背面部２に向かう方向であり、正面部１が前方側となり、背面部２が後方側となる。また、幅方向は、前後方向に直交する平面状の方向のことである。それぞれの方向は、図面に記載されている。
【００３７】
正面部１，背面部２，両側面部５，５は、上下方向（垂直方向）として使用され、頂面部３と底面部４とは水平状にして使用される。また、頂面部３及び底面部４は、収納箱Ａ内にペーパータオルの束Ｐを収納するときの蓋となる部分でもあり、開閉自在な構成となっており、ペーパータオル束Ｐの補充が行われる。
【００３８】
正面部１には、上下方向に延びる正面開口部１１が形成されている〔図１（Ａ），図２（Ａ），（Ｂ）参照〕。該正面開口部１１の上方には、幅方向の間隔が該正面開口部１１の間隔よりもさらに狭くなる間隔を有する窄まり部１２が形成されている〔図１（Ａ），図２（Ａ）参照〕。正面開口部１１は、ペーパータオル束Ｐが前記正面開口部１１からはみ出さない程度或いは突出しない程度の幅方向間隔を有している。ここで、窄まり部１２における窄まりとは、括れと同等の意味を有する。したがって、窄まり部１２は、括れ部１２と称することもある。
【００３９】
正面開口部１１は、従来のペーパータオル収納箱に見られる取り出し口よりも大きな開口幅を有している。つまり、内部に収納されたペーパータオル束Ｐの幅方向両端箇所を、ペーパータオル束Ｐがはみ出さない程度に押えられれば良い。正面開口部１１は、その両端箇所が収納箱Ａに収納されているペーパータオル束Ｐの幅方向の両端を僅かでも押えるように当接され、且つペーパータオル９を一枚ずつ取り出すときには、残りのペーパータオル束Ｐが正面開口部１１からひきずり出されず、収納箱Ａ内に収められていればよい。これによって、正面開口部１１は、ペーパータオル９を取り出し易い構成となっている。
【００４０】
正面開口部１１の幅方向の両端には端縁１１ａ，１１ａが存在している。該窄端縁１１ａは、正面部１において、正面開口部１１の開口領域と開口されていない領域との境界に沿った正面部１を構成する縁のことである。そして、両端縁１１ａ，１１ａが前記ペーパータオル束Ｐの幅方向両端付近と当接することによって、該ペーパータオル束Ｐを押え可能となるように、両端縁１１ａ，１１ａの間隔寸法が設定される。さらに、具体的には、ペーパータオル束Ｐの幅方向寸法をＷｐとする。
【００４１】
また、正面開口部１１の両端縁１１ａ，１１ａの間隔寸法をＷａとする。そして、収納箱Ａの正面開口部１１の両端縁１１ａ，１１ａの間隔寸法Ｗａと、ペーパータオル束Ｐの幅方向寸法Ｗｐとの大小関係は、以下の関係とすることが好適である。すなわち、正面開口部１１の間隔寸法Ｗａは、ペーパータオル束Ｐの幅方向寸法Ｗｐに対して４０％乃至８０％の間（範囲）に設定される。
【００４２】
つまり、
2019025069.tif 000003
である。
【００４３】
上記のように、収納箱Ａの正面開口部１１の両端縁１１ａ，１１ａの間隔寸法Ｗａを設定することにより、収納箱Ａ内にペーパータオル束Ｐが安定した状態で収納され、且つ正面開口部１１からペーパータオルを取り出す際に極めて円滑にできる。そして、収納箱Ａからペーパータオルを取り出すときには、正面開口部１１の両端縁１１ａ，１１ａにほとんど干渉されることなく円滑に取り出すことができる。つまり、正面開口部１１は、ペーパータオル９を取り出し易くすると同時に、ペーパータオル束Ｐが収納箱Ａから外部にはみ出したり、突出したりしないようにするものである。
【００４４】
収納箱Ａの正面開口部１１の両端縁１１ａ，１１ａの間隔寸法Ｗａと、ペーパータオル束Ｐの幅方向寸法Ｗｐとのさらなる好適な大小関係は、正面開口部１１の間隔寸法Ｗａは、ペーパータオル束Ｐの幅方向寸法Ｗｐに対して５０％乃至７０％の間に設定されることである。
【００４５】
つまり、
2019025069.tif 000004
である。
【００４６】
そして、収納箱Ａの正面開口部１１の両端縁１１ａ，１１ａの間隔寸法Ｗａと、ペーパータオル束Ｐの幅方向寸法Ｗｐとの最適な大小関係は、正面開口部１１の間隔寸法Ｗａは、ペーパータオル束Ｐの幅方向寸法Ｗｐに対して５５％及びその付近（前後）の数値である。
【００４７】
つまり、
2019025069.tif 000005
である。上記式は、特に大のサイズのペーパータオル束Ｐを使用した場合に最適である。
【００４８】
正面開口部１１は、下端から窄まり部１２の位置に向かって次第に間隔が狭まる構成とすることもある〔図１（Ａ），図２（Ａ）参照〕。つまり、正面開口部１１は、略「ハ」字形状に形成される。さらに、正面開口部１１の幅方向において対向する両端縁１１ａ，１１ａは、幅方向外方に向かって凸状となるなだらかな曲率の大きい円弧状に形成されることもある。
【００４９】
ここで、略「ハ」字形状に形成された正面開口部１１における両端縁１１ａ，１１ａの間隔寸法Ｗａは、最大間隔の位置を基準とする。次に、正面開口部１１の幅方向両端縁１１ａ，１１ａは、平行とすることもある（図７参照）。この場合は、両端縁１１ａ，１１ａの間隔寸法Ｗａは、上下方向の何れの位置でも同一である。
【００５０】
次に、窄まり部１２について説明する。該窄まり部１２は、正面開口部１１の幅方向において特に狭くなった部分である〔図１（Ａ），図２（Ａ）参照〕。窄まり部１２は、ペーパータオル束Ｐが正面開口部１１からはみ出さないように規制する部位である。よって、窄まり部１２は、１枚のペーパータオル９が余裕をもって通過できる程度の間隔を有するものである。
【００５１】
つまり、正面部１に形成された正面開口部１１では、ペーパータオル９を円滑に取り出すことができ、窄まり部１２によって、ペーパータオル束Ｐが正面開口部１１からはみ出すことを防止するものである。これによって、収納箱Ａは、長手方向を上下方向にして、収納箱Ａからペーパータオル９を取り出すときに、収納箱Ａがペーパータオル９を取り出す力で引きずられたり、或いは倒れたりすることを防止でき、ペーパータオル９の良好な取り出しができるものである。
【００５２】
窄まり部１２は、その幅方向の両端を窄まり端縁１２ａ，１２ａと称する。窄まり部１２は、前述したように、正面開口部１１の上方位置に形成されたものである。該窄まり端縁１２ａは、正面部１において、窄まり端縁１２ａの開口領域と開口されていない領域との境界に沿った正面部１を構成する縁のことである。なお、窄まり端縁１２ａは、窄まり部１２を括れ部１２と称するときには括れ端縁１２ａと称しても良い。
【００５３】
窄まり部１２はさらに、残量の減少したペーパータオル束Ｐを収納箱Ａに最後まで適正状態で収納させる役目もなす。これは、多数のペーパータオル９が重層されたものでは、束Ｐは略直方体を維持しているが、ペーパータオル束Ｐのペーパータオル９の残量が少なくなり、ペーパータオル束Ｐの直方体の形状が崩れると、該ペーパータオル束Ｐの上方が正面部１側に倒れ、ペーパータオル束Ｐの上方が正面開口部１１の上方箇所に当接することになる〔図６（Ａ），（Ｂ）参照〕。
【００５４】
このような状態において、ペーパータオル束Ｐが正面開口部１１の上方からはみ出さないようにするために、窄まり部１２がペーパータオル束Ｐの上方を押えつつ支持し、収納箱Ａの内部に適正な状態で収納されるようにする役目をなすと共に、ペーパータオル９を円滑に取り出す役目をなす（図６参照）。
【００５５】
両窄まり端縁１２ａ，１２ａは、正面部１の幅方向において左右対称又は略左右対称となる形状に形成されている。両窄まり端縁１２ａ，１２ａは，窄まり部１２の間隔幅の中心に向かって膨出するように形成される。窄まり端縁１２ａと、前記正面開口部１１の端縁１１ａとは、弧状に連続することが好ましく、つまり端縁１１ａから窄まり端縁１２ａに向かって滑らかな曲線を描いて連続することが好ましい。窄まり端縁１２ａの形状は、緩やかな円弧状の山形状或いは湾曲形状をなしている。
【００５６】
正面開口部１１と窄まり部１２とは、直方体状の収納箱Ａの長手方向を上下方向にして設置した状態、換言すると正面部１と該正面部１に形成された正面開口部１１がその長手方向を垂直面上に位置し、且つ窄まり部１２が上方に位置ように設置した状態で、収納箱Ａに収納されているペーパータオル束Ｐからペーパータオル９を取り出す時に、該ペーパータオル９を確実に１枚ずつ取り出すことができるようにする役目をなすものである。
【００５７】
すなわち、ペーパータオル束Ｐの幅方向寸法よりも小さいが比較的広い幅を有する正面開口部１１により、ペーパータオル束Ｐから一枚のペーパータオル９を取り出しやすくする一方、この取り出したペーパータオル９の次に位置するペーパータオル９が、次に取り出しやすい状態で正面開口部１１から突出するように規制するものであり、同時に収納箱Ａの外方に全部引きずり出されることを防止する役目もなしている。なお、窄まり端縁１２ａは上記形状に限定されることなく、長方形状、台形状或いは三角形状に形成されても構わない〔図７（Ｂ）参照〕。
【００５８】
窄まり部１２が上述したように、適正に役目を果たすために、窄まり部１２の間隔寸法Ｗｂと、ペーパータオル束Ｐの幅方向寸法Ｗｐとの大小関係について、以下の関係とすることが好適である。つまり、窄まり部１２の両窄まり端縁１２ａ，１２ａの間隔寸法Ｗｂは、ペーパータオル束Ｐの幅方向寸法Ｗｐに対して５％乃至４０％の間に設定される。
【００５９】
つまり、
2019025069.tif 000006
である。
【００６０】
収納箱Ａの窄まり部１２の両窄まり端縁１２ａ，１２ａの間隔寸法Ｗｂと、ペーパータオル束Ｐの幅方向寸法Ｗｐとのさらなる好適な大小関係は、両窄まり端縁１２ａ，１２ａの間隔寸法Ｗｂは、ペーパータオル束Ｐの幅方向寸法Ｗｐに対して１５％乃至２５％の間に設定されることである。
【００６１】
つまり、
2019025069.tif 000007
である。
【００６２】
そして、収納箱Ａの窄まり部１２の両窄まり端縁１２ａ，１２ａの間隔寸法Ｗｂと、ペーパータオル束Ｐの幅方向寸法Ｗｐとの最適な大小関係は、両窄まり端縁１２ａ，１２ａの間隔寸法Ｗｂは、ペーパータオル束Ｐの幅方向寸法Ｗｐに対して２０％及びその付近の数値である。
【００６３】
つまり、
2019025069.tif 000008
である。上記式は、特に大のサイズのペーパータオル束Ｐを使用した場合に最適である。
【００６４】
また、正面開口部１１において窄まり部１２の位置より上方部分は、幅方向に間隔が拡がる構成とすることもある。さらに、窄まり部１２は、複数設けられる実施形態が存在する。この実施形態では、窄まり部１２が正面開口部１１の長手方向に沿って複数設けられる。具体的には、二つの窄まり部１２が、正面開口部１１の長手方向に沿って適宜の間隔をおいて形成される〔図９（Ａ）参照〕。窄まり部１２が複数設けられた実施形態では、下方側の窄まり部１２の間隔が上方側の窄まり部１２の間隔よりも僅かに広くなるように設定することが好ましい。
【００６５】
次に、頂面部３には、頂面開口部３１が形成されている〔図１（Ａ），図２（Ｃ）参照〕。該頂面開口部３１は、正面部１に形成された正面開口部１１の上端と連続している〔図１（Ａ），図２（Ｂ）参照〕。頂面開口部３１は、正面開口部１１からペーパータオル９が取り出されるときに、ペーパータオル９の上方の一部が通過できるスペースである。
【００６６】
つまり、正面開口部１１から取り出されるペーパータオル９を、少し上方に向けて取り出しても頂面開口部３１をペーパータオル９が通過できることで取り出されるペーパータオル９が収納箱Ａに干渉されず、円滑に取り出すことができるものである。つまり、頂面開口部３１により、ペーパータオル９を正面開口部１１から取り出すときには、斜め上方に取り出すことができる。
【００６７】
これは、収納箱Ａから実際にペーパータオル９を取り出すときに、取り出し最終行程、つまりペーパータオル９の取り出し完了直前で、作業員の手の動作が上方に上がりがちであり、よってペーパータオル９は正面開口部１１に対して斜め方向に向かって取り出される傾向にある。
【００６８】
このことから、ペーパータオル９の上部箇所は、取り出し最終行程で、頂面開口部３１を通過することができ、取り出されるペーパータオル９は、より一層、収納箱Ａに引っ掛かりにくいものとなり、頂面開口部３１は有効に働くものであるといえる（図８参照）。頂面開口部３１は、略半円状に形成されている。
【００６９】
本発明における収納箱Ａは、極めて狭い制限されたスペースＳ内で使用可能となる。これは、図８（Ａ）に示すように、作業台上に上下方向に沿う間隔をおいて棚等が設けられた狭いスペースＳに本発明における収納箱Ａを設置した場合、該収納箱Ａの長手方向を上下方向に合わせて設置し、この状態で収納箱Ａの正面開口部１１からペーパータオル９を水平方向に取り出すことができ、その取り出し動作の完了直前で、ペーパータオル９を少し上方に向けて取り出すことができる〔図８（Ｂ）参照〕。また、頂面開口部３１は、長方形，正方形等の方形状，台形状，三角形状に形成されることもある。また、頂面部３には頂面開口部３１が設けられない実施形態も存在する〔図９（Ｃ）参照〕。
【００７０】
収納箱Ａの正面部１及び前記背面部２の少なくとも何れか一方の下部には、前方側の倒れ防止部６１又は後方側の倒れ防止部６２が形成されている。前方側の倒れ防止部６１及び後方側の倒れ防止部６２は、切込み線を介して折曲可能とし、且つ収納箱Ａの前後方向に沿って突出形成されるものである。
【００７１】
具体的には、前方側の倒れ防止部６１は、正面開口部１１の下方を切除するのではなく、折曲代として残しておき、これを、正面部１外方に向けて正面部１に直角となるように折曲して、倒れ防止部６１を形成するものである。背面部２側に形成される後方側の倒れ防止部６２についても、略同様に形成される。但し背面部２には、正面開口部１１に相当する部位は存在しないので、倒れ防止部６２が形成される切込み線のみを設けることになる。
【００７２】
本発明のペーパータオル収納箱において、出荷時の未使用状態では、前記正面開口部１１及び前記頂面開口部３１は、捨て蓋７がミシン目７１を介して設けられている。使用開始時に捨て蓋を収納箱Ａから切り取る構成としている。また、収納箱Ａの背面部２には、束押上げ突起部２１が具備されることもある〔図９（Ｂ）参照〕。該束押上げ突起部２１は、ペーパータオル束Ｐのペーパータオル９の枚数が減少し、収納箱Ａの正面開口部１１から取り出し難くなった状態で、ペーパータオル束Ｐを正面部１側に寄せる役目をなすものである。束押上げ突起部２１は、背面部２の一部に束押上げ突起部２１の外形と同等の切込みを設け、該切込み部分を収納箱Ａの内方に向けて折り曲げることによって形成される。
【００７３】
次に、本発明において、収納箱Ａからペーパータオル９を取り出す行程を説明する。まず、収納箱Ａは長手方向を上下方向にして厨房の作業台，テーブル或いは棚等に載置する。このとき前記倒れ防止部１１，１１及び倒れ防止部１２，１２は組み立てられている。この状態で正面部１は垂直状態であり、正面開口部１１も垂直面上に位置することになる〔図４（Ａ）参照〕。正面開口部１１からペーパータオル９は、その一部が取り出されて突出した状態にある。
【００７４】
次に、作業者は、取り出されたペーパータオル９を、指でつまみ、そのまま取り出す。ペーパータオル９は、正面開口部１１からそのまま取り出される。このとき、正面開口部１１は、従来のペーパータオル収納箱の開口よりも大きく設定されており、取り出し時に収納箱Ａからの抵抗を受け難く、ペーパータオル９を極めて円滑に取り出すことができる〔図４（Ｂ），（Ｃ）参照〕。また、窄まり部１２の存在により、ペーパータオル束Ｐが正面開口部１１から大きくはみ出すことを防止している。、ペーパータオル９が取り出されるに従い、次に位置するペーパータオル９が現れる〔図４（Ｃ），図５（Ａ）参照〕。
【００７５】
また、ペーパータオル９を正面開口部１１から取り出すときに、作業員の手の位置は次第に上方に移動しがちとなる。そのために、取り出されるペーパータオル９の一部は頂面部３に当たることもあるが、頂面開口部３１が設けられたことにより、何ら干渉されることなく、ペーパータオル９を最後まで円滑に取り出すことができる〔図５（Ｂ）参照〕。
【００７６】
本発明における収納箱Ａは、特に狭い空間に設置するのに最適である。つまり、上下方向のスペースが小さい場合では、収納箱Ａからペーパータオル９を水平方向に取り出すことが容易にできる（８図参照）。
【００７７】
本発明では、収納箱Ａは長手方向を上下方向にして設置する。つまり、正面部１及び正面開口部１１は、垂直面上となり、底面部４は設置面となり、頂面部３は、最上位置となることが使用において好適とされるものである〔図１(Ａ)参照〕。しかし、本発明における収納箱Ａは、上記の使用形態に限定されるものではなく、収納箱Ａの長手方向を水平として使用することもある。このとき、正面部１及び正面開口部１１が頂部となり、背面部２が設置面となる。或いは、収納箱Ａの長手方向を水平にして、正面部１及び背面部２が対向する垂直面として使用することもできる。
【符号の説明】
【００７８】
Ａ…収納箱、１…正面部、１１…正面開口部、１１ａ…端縁、１２…窄まり部、
１２ａ…窄まり端縁、２…背面部、３…頂面部、３１…頂面開口部、４…底面部４、
５…側面部、６１…倒れ防止部、６２…倒れ防止部、９…ペーパータオル、
Ｐ…ペーパータオル束。
【図１】
2019025069.tif 000009
【図２】
2019025069.tif 000010
【図３】
2019025069.tif 000011
【図４】
2019025069.tif 000012
【図５】
2019025069.tif 000013
【図６】
2019025069.tif 000014
【図７】
2019025069.tif 000015
【図８】
2019025069.tif 000016
【図９】
2019025069.tif 000017